(57)【要約】【課題】照明器具本体と反射板とランプとの周囲を囲むように位置付けられた外周枠を有する枠体を備えた照明器具を取付面に取付けたときに、外周枠の取付面側端面と取付面との間に隙間が生じないようにして照明器具の取付面への取付状態の外観を向上させる。【解決手段】照明器具Ｂに設けられている枠体１８は、取付面１に対向する外周枠１９の取付面側端面１９ａが、取付金具２０及びこの取付金具２０に取付けられる照明器具本体２を含む他部品よりも取付面１に向けて最も突出している。このため、照明器具本体２と共に枠体１８を取付面１に取付けたとき、外周枠１９の取付面側端面１９ａが最初に取付面１に当接するので、取付面１と外周枠１９の取付面側端面１９ａとの間に隙間が生じない。【選択図】　　図３
2004087233.tif 000002
【特許請求の範囲】
【請求項１】
取付面に取付けられる照明器具本体と；
前記照明器具本体に取付けられたランプソケットと；
前記照明器具本体に取付けられた反射板と；
前記照明器具本体と前記反射板と前記ランプソケットに取付けられたランプとの周囲を囲むように位置付けられて前記ランプからの光の照射方向が開口された外周枠と、前記外周枠に固定されて前記照明器具本体が前記外周枠の開口側から取付けられる取付金具とを有し、前記取付面に対向する前記外周枠の取付面側端面が前記取付金具及びこの取付金具に取付けられる前記照明器具本体を含む他部品よりも前記取付面に向けて最も突出するように設定された枠体と；
を具備する照明器具。
【請求項２】
前記取付金具に前記照明器具本体を取付ける取付ネジが前記取付金具に下向きに固定されている請求項１記載の照明器具。
【発明の詳細な説明】
【０００１】
【発明の属する技術分野】本発明は、照明器具本体及びこの照明器具本体に取付けられた反射板やランプ等を囲む枠体を備え、天井面等の取付面に直付けされるタイプの照明器具に関する。
【０００２】
【従来の技術】従来、照明器具本体やこの照明器具本体に取付けられた反射板等から構成されて天井面等の取付面に直付けされるタイプの照明器具において、ランプからの光の照射方向が開口されてその照明器具の周囲を囲むように構成された枠体を備えたものが知られている。
【０００３】
この枠体は、照明器具を天井面等の取付面に取付ける当初から照明器具の一部として使用されている場合、又は、必要に応じて後付けされる場合がある。
【０００４】
このような枠体を備えた照明器具の従来例を図４ないし図６に基づいて説明する。この照明器具Ａは、取付面１に取付けられる長尺状の照明器具本体２と、照明器具本体２の両端部にネジ止めされたランプソケット取付金具３、ランプソケット取付金具３に取付けられたランプソケット４、照明器具本体２に取付けられた反射板５、照明器具本体２に着脱可能に取付けられた枠体６等により構成されている。ランプソケット４には、反射板５の下側に配置された長尺状のランプ７が取付けられている。
【０００５】
照明器具本体２には、取付面１から吊り下げられて照明器具Ａを取付面１に取付けるために用いられる取付ボルト（図示せず）が挿通されるボルト用穴８、安定器９や端子台１０やランプソケット４に接続される電源線が挿通される電源線用穴１１、この照明器具本体２を取付面１に取付けたときに取付面１に当接して照明器具本体２の取付面１への取付状態を安定させるように押し出し形成されたダボ１２、反射板５を取付ける反射板取付部（図示せず）等が形成されている。反射板５には、ランプソケット４が挿通される挿通部１３が形成されている。
【０００６】
枠体６は、照明器具本体２と反射板５とランプ７との周囲を囲むように位置付けされてランプ７からの光の照射方向が開口された略直方体形状の外周枠１４と、外周枠１４の長手方向の端部側に配置されて外周枠１４にネジ止めされた一対の取付金具１５とを有している。外周枠１４への取付金具１５の取付けは、図６に示すように、外周枠１４の取付面側端面１４ａの位置と、取付金具１５の取付面側端面１５ａとが同一面となるように行われている。
【０００７】
枠体６と照明器具本体２との取付けは、図６に示すように、照明器具本体２を枠体６の内側に位置させ、照明器具本体２と取付金具１５とを交叉させ、取付金具１５に形成されたダボ受け穴１６に照明器具本体２に形成されたダボ１２を嵌合させて位置合わせし、照明器具本体２と取付金具１５とをタッピンネジ１７で共締めすることにより行われている。
【０００８】
取付面１への照明器具Ａの取付けに際しては、まず、タッピンネジ１７を用いて照明器具本体２を枠体６に取付け、ついで、照明器具本体２のボルト用穴８に取付面１から吊り下げられている取付ボルトを挿通し、取付ボルトにナットを羅合させる。その後、照明器具本体２への反射板５の取付け、ランプソケット４へのランプ７の取付けを行う。
【０００９】
【発明が解決しようとする課題】照明器具Ａは、外周枠１４の取付面側端面１４ａと取付金具１５の取付面側端面１５ａとが同一面となるように構成されており、取付金具１５に形成されているダボ受け穴１６に嵌合されたダボ１２の上面部１２ａは、外周枠１４の取付面側端面１４ａより取付面１側に突出している。
【００１０】
したがって、照明器具Ａを取付面１に取付けたとき、図６に示すように、ダボ１２の上面部１２ａが取付面１に当接する。このため、外周枠１４の取付面側端面１４ａは取付面１に密着せず、取付面１と外周枠１４の取付面側端面１４ａとの間に隙間Ｓが生じる。
【００１１】
このような隙間Ｓが生じることにより、照明器具Ａの取付状態の外観が損なわれる。
【００１２】
さらに、照明器具本体２に枠体６を取付けるため、照明器具本体２と取付金具１５とを共締めしているタッピンネジ１７の先端部が取付金具１５を貫いてダボ１２の上面部１２ａより突出することがある。その場合には、タッピンネジ１７の先端部が取付面１に当接して取付面１を傷付けたり、外周枠１４の取付面側端面１４ａと取付面１との間の隙間Ｓをさらに大きくしたりする。
【００１３】
本発明の目的は、照明器具本体と反射板とランプとの周囲を囲むように位置付けられた外周枠を有する枠体を備えた照明器具を取付面に取付けたときに、外周枠の取付面側端面と取付面との間に隙間が生じないようにして照明器具の取付面への取付状態の外観を向上させることができる照明器具を提供することである。
【００１４】
【課題を解決するための手段】請求項１記載の発明の照明器具は、取付面に取付けられる照明器具本体と；前記照明器具本体に取付けられたランプソケットと；前記照明器具本体に取付けられた反射板と；前記照明器具本体と前記反射板と前記ランプソケットに取付けられたランプとの周囲を囲むように位置付けられて前記ランプからの光の照射方向が開口された外周枠と、前記外周枠に固定されて前記照明器具本体が前記外周枠の開口側から取付けられる取付金具とを有し、前記取付面に対向する前記外周枠の取付面側端面が前記取付金具及びこの取付金具に取付けられる前記照明器具本体を含む他部品よりも前記取付面に向けて最も突出するように設定された枠体と；を具備する。
【００１５】
ここで、「前記取付面に対向する前記外周枠の取付面側端面が前記取付金具及びこの取付金具に取付けられる前記照明器具本体を含む他部品よりも取付面に向けて最も突出するように設定された枠体」とは、照明器具本体を枠体と共に取付面に取付けたとき、外周枠の取付面側端面が最初に取付面に当接するように構成されていることを意味する。
【００１６】
また、「前記照明器具本体を含む他部品」とは、取付金具に取付けられる照明器具本体、照明器具本体を取付金具に取付けるために用いられるネジ等の取付用部品を意味する。
【００１７】
取付面への照明器具の取付けは、照明器具本体を枠体の取付金具に取付け、照明器具本体を枠体と共に取付面に取付け、照明器具本体に反射板を取付けることにより終了する。
【００１８】
この照明器具は、枠体における外周枠の取付面側端面の位置が、この外周枠に固定された取付金具及びこの取付金具に取付けられた照明器具本体を含む他部品よりも取付面に向けて最も突出するように設定されているので、照明器具本体と共に枠体を取付面に取付けたとき、外周枠の取付面側端面が最初に取付面に当接し、外周枠の取付面側端面が取付面に密着するので、外周枠の取付面側端面と取付面との間に隙間が生じない。これにより、照明器具の取付面への取付状態の外観が向上する。
【００１９】
請求項２記載の発明は、請求項１記載の照明器具において、前記取付金具に前記照明器具本体を取付ける取付ネジが前記取付金具に下向きに固定されている。
【００２０】
したがって、取付ネジの先端が取付面に当接することがなく、取付ネジの先端が取付面に当接して取付面を傷付けるということが生じない。また、取付ネジが取付金具に固定されているため、照明器具本体と枠体とを取付けるときに、取付ネジを準備するという手間が不要となる。
【００２１】
【発明の実施の形態】本発明の一実施の形態を図１ないし図３に基づいて説明する。なお、図４ないし図６において説明した部分と同じ部分は同じ符号で示し、説明も省略する。
【００２２】
この照明器具Ｂは、取付面１に取付けられる長尺状の照明器具本体２と、照明器具本体２の両端部にネジ止めされたランプソケット取付金具３、ランプソケット取付金具３に取付けられたランプソケット４、照明器具本体２に取付けられた反射板５、照明器具本体２に着脱可能に取付けられた枠体１８等により構成されている。
【００２３】
照明器具本体２には、取付面１から吊り下げられて照明器具Ｂを取付面１に取付けるために用いられる取付ボルト（図示せず）が挿通されるボルト用穴８、安定器９や端子台１０やランプソケット４に接続される電源線が挿通される電源線用穴１１、この照明器具本体２を取付面１に直接取付けたときに取付面１に当接するように押し出し形成されたダボ１２、反射板５を取付ける反射板取付部（図示せず）等が形成されている。反射板５には、ランプソケット４が挿通される挿通部１３が形成されている。
【００２４】
枠体１８は、照明器具本体２と反射板５とランプ７との周囲を囲むように位置付けされてランプ７からの光の照射方向が開口された略直方体形状の外周枠１９と、外周枠１９の長手方向の端部側に配置されて外周枠１９にネジ止めされた一対の取付金具２０とを有している。
【００２５】
外周枠１９は、その取付面側端面１９ａの位置が、外周枠１９に取付けられた取付金具２０の取付面側端面２０ａや、取付金具２０に形成されたダボ受け穴２１に嵌合されたダボ１２の上面部１２ａや、取付金具２０に下向きに固定された取付ネジ２２の頭部２２ａより取付面１に向けて突出するように設定されている。具体的には、外周枠１９の取付面側端面１９ａと取付金具２０の取付面側端面２０ａとの間が３ｍｍ程度の間隔に設定されている。
【００２６】
枠体１８と照明器具本体２との取付けは、照明器具本体２を枠体１８の内側に位置させ、照明器具本体２と取付金具２０とを交叉させ、取付金具２０に形成されたダボ受け穴２１に照明器具本体２のダボ１２を嵌合させて位置合わせするとともに取付ネジ２２を取付穴に挿通し、取付ネジ２２に蝶ナット２３を羅合させることにより行われている。
【００２７】
このような構成において、この照明器具Ｂの取付面１への取付けに際しては、まず、取付ネジ２２を照明器具本体２の取付穴に挿通し、取付ネジ２２の先端部に蝶ナット２３を羅合させることにより枠体１８と照明器具本体２との取付けを行う。ついで、照明器具本体２のボルト用穴８に取付面１から吊り下げられている取付ボルトを挿通し、取付ボルトにナットを羅合させる。その後、照明器具本体２への反射板５の取付け、ランプソケット４へのランプ７の取付けを行う。
【００２８】
この照明器具Ｂは、外周枠１９の取付面側端面１９ａの位置が、取付金具２０の取付面側端面２０ａや、ダボ受け穴２１に嵌合されたダボ１２の上面部１２ａや、取付ネジ２２の頭部２２ａ等より上方となるように設定されている。このため、照明器具Ｂを取付面１に取付けたとき、図３に示すように、外周枠１９の取付面側端面１９ａが取付面１に最初に当接し、取付面１と外周枠１９の取付面側端面１９ａとの間には、従来例で説明したような隙間Ｓが生じない。したがって、取付面１に取付けられた照明器具Ｂの枠体１８における外周枠１９の取付面側端面１９ａが取付面１に密着し、取付面１と外周枠１９の取付面側端面１９ａとの間に隙間が生じず、照明器具Ｂの取付面１への取付状態の外観が向上する。
【００２９】
枠体１８と照明器具本体２との取付けに際しては、取付金具２０に下向きに固定されている取付ネジ２２を照明器具本体２に形成されている取付穴に挿通し、取付ネジ２２に蝶ナット２３を羅合させることにより行うので、工具を用いることなく枠体１８と照明器具本体２との取付けを行える。しかも、下向きに固定されている取付ネジ２２の先端は取付面１に当接することがなく、取付ネジ２２の先端が取付面１に当接して取付面１を傷付けるということが生じない。さらに、取付ネジ２２が取付金具２０に固定されているため、照明器具本体２と枠体１８とを取付けるときに、取付ネジ２２を準備するという手間が不要となる。
【００３０】
【発明の効果】請求項１記載の発明の照明器具によれば、枠体における外周枠の取付面側端面の位置が、この外周枠に固定された取付金具及びこの取付金具に取付けられる照明器具本体を含む他部品よりも取付面に向けて最も突出するように設定されているので、照明器具本体と共に枠体を取付面に取付けたとき、外周枠の取付面側端面が最初に取付面に当接することになり、外周枠の取付面側端面を取付面に密着させることができ、外周枠の取付面側端面と取付面との間に隙間が生じることを防止でき、照明器具の取付面への取付状態の外観を向上させることができる。
【００３１】
請求項２記載の発明によれば、請求項１記載の照明器具において、前記取付金具に前記照明器具本体を取付ける取付ネジが前記取付金具に下向きに固定されているので、取付ネジの先端が取付面に当接して取付面を傷付けるということを防止でき、また、照明器具本体と枠体とを取付けるときに取付ネジを準備するという手間を不要とすることができる。
【図面の簡単な説明】
【図１】本発明の一実施の形態の照明器具を示す斜視図である。
【図２】枠体と照明器具本体との取付状態を示す平面図である。
【図３】図２におけるＸ−Ｘ線断面図である。
【図４】従来例の照明器具を示す斜視図である。
【図５】その従来例の枠体と照明器具本体との取付状態を示す平面図である。
【図６】図５におけるＹ−Ｙ線断面図である。
【符号の説明】
１：取付面、２：照明器具本体、４：ランプソケット、５：反射板、７：ランプ、１８枠体、１９：外周枠、１９ａ：取付面側端面、２０：取付金具、２２：取付ネジ、Ｂ：照明器具
【図１】
2004087233.tif 000003
【図２】
2004087233.tif 000004
【図３】
2004087233.tif 000005
【図４】
2004087233.tif 000006
【図５】
2004087233.tif 000007
【図６】
2004087233.tif 000008